(57)【要約】【課題】コストアップを抑えつつ、光源の光学的な特性を容易に変更可能な照明器具を提供する。【解決手段】照明器具は、器具本体と、器具本体に対して照明空間側に配置されるＬＥＤ２２２と、透光性を有し且つＬＥＤ２２２を覆うように器具本体に取り付けられるカバー部材２３とを備える。カバー部材２３は、ＬＥＤ２２２から放射される光を照明空間に向けて透過させる透光部２３１と、ＬＥＤ２２２の光学的な特性を制御するための光学シート５を透光部２３１に沿って取り付ける溝部２３４，２３４とを有している。【選択図】図１
2015125805.tif 000002
【特許請求の範囲】
【請求項１】
器具本体と、前記器具本体に対して照明空間側に配置される光源と、透光性を有し且つ前記光源を覆うように前記器具本体に取り付けられるカバーとを備え、
前記カバーは、前記光源から放射される光を前記照明空間に向けて透過させる透光部と、前記光源の光学的な特性を制御するための光学部材を前記透光部に沿って取り付ける取付部とを有していることを特徴とする照明器具。
【請求項２】
前記取付部は、前記透光部における前記照明空間側の面に前記光学部材が取り付けられるように構成されていることを特徴とする請求項１記載の照明器具。
【請求項３】
前記取付部は、前記透光部における前記光源側の面に前記光学部材が取り付けられるように構成されていることを特徴とする請求項１記載の照明器具。
【請求項４】
前記取付部は、互いに特性の異なる複数の前記光学部材が前記光源の光軸方向に重ねて取り付けられるように構成されていることを特徴とする請求項２又は３記載の照明器具。
【請求項５】
前記取付部は、互いに特性の異なる複数の前記光学部材が前記透光部に沿って並べて取り付けられるように構成されていることを特徴とする請求項２又は３記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。特許文献１に記載された照明器具は、横長且つ長尺状に形成された器具本体と、器具本体に対して着脱自在に取り付けられる光源部とを備える。器具本体の略中央には、光源部を収容するための収容凹部が全長に亘って設けられている。
【０００３】
また、光源部は、横長且つ長尺状に形成された取付部材と、複数の発光素子がそれぞれ実装され、且つ取付部材の下面に並べて取り付けられる複数の基板と、複数の基板を覆うようにして取付部材に取り付けられるカバー部材とを有している。そして、一体に組み付けられた光源部は、その一部が収容凹部に収容された状態で器具本体に取り付けられる。
【先行技術文献】
【特許文献】
【０００４】
【特許文献１】特開２０１２−３９９３号公報
【発明の概要】
【発明が解決しようとする課題】
【０００５】
上述の特許文献１に示した照明器具において光源部の配光を変更しようとした場合、照明器具の形状を全体的に変更するか、カバー部材の形状を変更するか、又は配光の異なる発光素子に変更するのが一般的である。
【０００６】
そして、照明器具の形状を変更する場合には、照明器具全体の交換が必要であり、交換費用が高くなってしまうという問題があった。また、カバー部材や発光素子を変更する場合には、光源部全体の交換が必要であり、この場合も交換費用が高くなってしまうという問題があった。
【０００７】
本発明は上記問題点に鑑みて為されたものであり、コストアップを抑えつつ、光源の光学的な特性を容易に変更可能な照明器具を提供することを目的とする。
【課題を解決するための手段】
【０００８】
本発明の照明器具は、器具本体と、前記器具本体に対して照明空間側に配置される光源と、透光性を有し且つ前記光源を覆うように前記器具本体に取り付けられるカバーとを備え、前記カバーは、前記光源から放射される光を前記照明空間に向けて透過させる透光部と、前記光源の光学的な特性を制御するための光学部材を前記透光部に沿って取り付ける取付部とを有していることを特徴とする。
【０００９】
この照明器具において、前記取付部は、前記透光部における前記照明空間側の面に前記光学部材が取り付けられるように構成されているのが好ましい。
【００１０】
また、この照明器具において、前記取付部は、前記透光部における前記光源側の面に前記光学部材が取り付けられるように構成されているのも好ましい。
【００１１】
また、この照明器具において、前記取付部は、互いに特性の異なる複数の前記光学部材が前記光源の光軸方向に重ねて取り付けられるように構成されているのも好ましい。
【００１２】
また、この照明器具において、前記取付部は、互いに特性の異なる複数の前記光学部材が前記透光部に沿って並べて取り付けられるように構成されているのも好ましい。
【発明の効果】
【００１３】
本発明の構成によれば、従来の照明器具のように光源部単位で交換する必要はなく、カバーに光学部材を取り付けるだけでいいので、コストアップを抑えつつ、光源の光学的な特性を容易に変更可能な照明器具を提供することができるという効果がある。
【図面の簡単な説明】
【００１４】
【図１】実施形態１の照明器具に用いられる光源ユニットの断面図である。
【図２】同上の分解斜視図である。
【図３】同上に用いられる光学シートを取り付ける手順を説明する説明図である。
【図４】（ａ）は同上に用いられる光学シートの断面図、（ｂ）は同上に用いられる光学シートによる配光特性図である。
【図５】（ａ）は同上に用いられる別の光学シートの断面図、（ｂ）は同上に用いられる別の光学シートによる配光特性図である。
【図６】（ａ）、（ｂ）は同上に用いられるさらに別の光学シートの断面図、（ｃ）は同上に用いられるさらに別の光学シートによる配光特性図である。
【図７】（ａ）、（ｂ）は同上に用いられるさらに別の光学シートの断面図、（ｃ）は同上に用いられるさらに別の光学シートによる配光特性図である。
【図８】（ａ）は同上に用いられるさらに別の光学シートの断面図、（ｂ）は同上に用いられるさらに別の光学シートによる配光特性図である。
【図９】実施形態２の照明器具に用いられる光源ユニットの断面図である。
【図１０】同上に用いられる別の光源ユニットの断面図である。
【図１１】同上に用いられるさらに別の光源ユニットの断面図である。
【図１２】実施形態３の照明器具に用いられる光源ユニットの断面図である。
【図１３】同上に用いられる光学シートを取り付ける手順を説明する説明図である。
【図１４】実施形態４の照明器具に用いられる光源ユニットの断面図である。
【図１５】実施形態５の照明器具に用いられる光源ユニットの断面図である。
【図１６】同上に用いられる別の光源ユニットの断面図である。
【発明を実施するための形態】
【００１５】
以下に、照明器具の実施形態について図面を参照しながら説明する。なお、以下の各実施形態では、図２に示すように、長尺状に形成された天井直付け型の照明器具を例に説明するが、本発明の特徴部分である光学シートを取付可能であれば、他の形状の照明器具であってもよい。
【００１６】
（実施形態１）
本実施形態の照明器具１０は、図２に示すように天井直付け型の照明器具であって、吊ボルト２００及びナット２０１を用いて天井材１００に取り付けられる器具本体１と、器具本体１に対して着脱自在に取り付けられる光源ユニット２とを備える。なお、以下では特に断りがない限り、図１に示す向きにおいて上下左右の方向を規定し、さらに図１中の紙面に垂直な方向を前後方向（手前側が前側）と規定して説明を行う。
【００１７】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の凹部１１が器具本体１の全長に亘って設けられている。また、器具本体１の左右方向（幅方向）において凹部１１の両側には、凹部１１の開口端縁から延長され、且つ外側に行くほど上側（天井材１００側）に傾斜する傾斜面１２，１２がそれぞれ設けられている。
【００１８】
また、凹部１１の底面部１１１には、電線を通すための孔１１１ａが前後方向（長手方向）に沿って複数（図２では２個）設けられるとともに、吊ボルト２００を通すための孔１１１ｂが前後方向における両端寄りの位置にそれぞれ１個ずつ設けられている。さらに、凹部１１の底面部１１１には、天井材１００を通して室内側に露出する電源線６が接続される端子台１３が取り付けられている。端子台１３は、矩形箱状の本体部１３１を有し、本体部１３１には、雌型のコネクタ１３２を有する電線１３３が接続されている。
【００１９】
また、凹部１１の右側の側面部１１２には、後述の引掛片３１，３１がそれぞれ引っ掛けられる孔１１２ａ，１１２ａが、前後方向における両端寄りの位置にそれぞれ設けられている。さらに、凹部１１の左側の側面部１１２には、後述の引掛ばね３２，３２がそれぞれ引っ掛けられる引掛金具３３，３３が、前後方向における両端寄りの位置にそれぞれ取り付けられている。
【００２０】
光源ユニット２は、図１及び図２に示すように、基板２２と、基板２２が取り付けられる取付部材２１と、基板２２を覆うようにして取付部材２１に取り付けられるカバー部材２３（カバー）とを有する。また、光源ユニット２は、基板２２に所定の点灯電力を供給する電源装置２４と、天井材１００を通して室内側に露出する制御線７が接続される端子台２５とを有する。
【００２１】
基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、基板２２の前端部には、電源装置２４との間を電気的に接続するためのコネクタ（図示せず）が実装されており、このコネクタから導出する電線（図示せず）を電源装置２４に接続することで、基板２２と電源装置２４とが電気的に接続される。ここに、本実施形態では、ＬＥＤ２２２により光源が構成されている。
【００２２】
取付部材２１は、板金に曲げ加工を施すことでＵ字状に形成され、長尺且つ矩形板状に形成された底面部２１１と、底面部２１１の左右方向（幅方向）における両端から上向きに延長された一対の側面部２１２，２１２とで構成される。各側面部２１２の先端には、円形に折り曲げることで形成された被引掛部２１２ａが全長に亘って設けられている（図１参照）。
【００２３】
また、底面部２１１の左端部には、器具本体１の引掛金具３３，３３にそれぞれ引っ掛けられる引掛ばね３２，３２が、前後方向における両端寄りの位置にそれぞれ設けられている。さらに、底面部２１１の右端部には、器具本体１の孔１１２ａ，１１２ａにそれぞれ引っ掛けられる引掛片３１，３１が、前後方向における両端寄りの位置にそれぞれ設けられている。
【００２４】
カバー部材２３は、拡散性を有する材料（例えば乳白色のアクリル樹脂）により上面（取付部材２１側の面）が開口する長尺状に形成されている（図１及び図２参照）。また、カバー部材２３は、左右方向（幅方向）において両端側から中央側に行くほど下側への突出量が大きくなるような凸レンズ形状の透光部２３１を有している（図１参照）。そして、ＬＥＤ２２２から放射された光は、透光部２３１を透過して下方の照明空間へと照射される。
【００２５】
さらに、透光部２３１の左右方向における両端部には、Ｌ字状に形成された折り返し部２３２ａ，２３２ａがそれぞれ設けられており、各折り返し部２３２ａと透光部２３１との間に溝部２３４が形成されている。また、左右方向において各折り返し部２３２ａよりも内側には、上向き（取付部材２１に向かう向き）に突出する突壁部２３３が全長に亘って設けられている。さらに、各突壁部２３３の先端には、内向きに突出する突起部２３３ａが設けられている。
【００２６】
電源装置２４は、前後方向に長い矩形箱状に形成されたケース２４１を有する。ケース２４１の内部には、少なくともＬＥＤ２２２の点灯電力を生成するための電源回路を有する基板（図示せず）が収納されている。また、電源装置２４の入力側には、雄型のコネクタ２４２を有する電線２４３が接続されている。
【００２７】
次に、光源ユニット２の組立手順について説明する。作業者は、取付部材２１の上面側に電源装置２４を取り付けるとともに、ＬＥＤ２２２が下側を向くようにして取付部材２１の底面部２１１の下面に基板２２を取り付ける。このとき、作業者は、例えば取付部材２１の底面部２１１の一部を切り起こすことで形成された爪部（図示せず）を用いて、取付部材２１の底面部２１１に基板２２を固定する。さらに、作業者は、基板２２に実装されたコネクタ（図示せず）から導出する電線（図示せず）を電源装置２４に接続する。
【００２８】
そして最後に、作業者は、開口側を上向きにした状態でカバー部材２３を取付部材２１に取り付ける。このとき、カバー部材２３の各突壁部２３３の突起部２３３ａが、取付部材２１の対応する側面部２１２の被引掛部２１２ａに引っ掛かることで、カバー部材２３が取付部材２１に取り付けられる。
【００２９】
また、このままでは、取付部材２１に対してカバー部材２３が前後方向（長手方向）に移動するのを規制できないため、作業者は、固定ねじ２０３（図１参照）を用いてカバー部材２３を取付部材２１に固定する。以上のような手順に従って、光源ユニット２が組み立てられる。
【００３０】
続けて、照明器具１０の施工手順について説明する。なお、以下では、端子台１３が予め器具本体１に取り付けられているものとして説明する。作業者は、天井材１００を通して室内側に露出する電源線６及び制御線７（図２参照）をそれぞれ器具本体１の孔１１１ａ，１１１ａに通すとともに、同様に天井材１００を通して室内側に露出する吊ボルト２００を孔１１１ｂに通す。さらに、作業者は、各吊ボルト２００にワッシャー２０２を通した後、ナット２０１をねじ込んで器具本体１を天井材１００に固定する。
【００３１】
その後、作業者は、電源線６の端部を端子台１３に接続するとともに、光源ユニット２の各引掛片３１を器具本体１の対応する孔１１２ａに引っ掛けて、光源ユニット２を器具本体１に仮保持させる。次に、作業者は、光源ユニット２を器具本体１に仮保持させた状態のまま、端子台１３のコネクタ１３２と電源装置２４のコネクタ２４２を接続するとともに、制御線７を端子台２５に接続する。
【００３２】
そして最後に、作業者は、器具本体１の孔１１２ａを支点として光源ユニット２を回転させ、光源ユニット２を器具本体１に取り付ける。このとき、光源ユニット２の各引掛ばね３２が器具本体１の対応する引掛金具３３に引っ掛かることで、光源ユニット２が器具本体１に取り付けられる。以上のような手順に従って、照明器具１０が天井に施工される。
【００３３】
ところで、従来の照明器具では、光源部の配光を変更しようとした場合、照明器具の形状を全体的に変更するか、カバー部材の形状を変更するか、又は配光の異なる発光素子に変更するのが一般的である。そして、これらの方法では、交換費用が高くなるという問題があった。
【００３４】
これに対して、本実施形態では、光学シート５（光学部材）を用いることでＬＥＤ２２２の配光を容易に変更できるようになっている。以下、具体的に説明する。
【００３５】
光学シート５は、例えば合成樹脂により長尺且つ矩形板状に形成されたシート本体５１を有し、シート本体５１の下面には、三角状に突出する凸部５１１が左右方向に沿って複数設けられている（図４（ａ）参照）。
【００３６】
次に、光学シート５をカバー部材２３に取り付ける手順について、図３を参照しながら説明する。作業者は、光学シート５のシート本体５１の左端部をカバー部材２３の左側の溝部２３４に差し込んだ後、シート本体５１を全体的に下向きに撓ませながらシート本体５１の右端部をカバー部材２３の右側の溝部２３４に差し込む。これにより、透光部２３１の表面（照明空間側の面）に密着させた状態で、光学シート５をカバー部材２３に取り付けることができる。
【００３７】
ここに、本実施形態では、溝部２３４，２３４により取付部が構成されている。そして、この光学シート５を用いた場合には、図４（ｂ）中の実線ａ１に示すように、左右方向（幅方向）において広角（ワイド）な配光を実現することができる。
【００３８】
図５（ａ）は本実施形態の別の光学シート５の断面図であり、この光学シート５では、三角状に突出する凸部５１１がシート本体５１の上面に設けられている。そして、この光学シート５を用いた場合には、図５（ｂ）中の実線ａ２に示すように、左右方向（幅方向）において狭角な配光を実現することができる。
【００３９】
図６（ａ）は本実施形態のさらに別の光学シート５の断面図であり、この光学シート５では、鋸刃状に形成された複数の凸部５１２がシート本体５１の下面に設けられている。また、図６（ｂ）は本実施形態のさらに別の光学シート５の断面図であり、この光学シート５では、鋸刃状に形成された複数の凸部５１２がシート本体５１の上面に設けられている。そして、これらの光学シート５を用いた場合には、図６（ｃ）中の実線ａ３に示すように、左右方向（幅方向）において片側（図６（ｃ）では左側）に偏らせた配光を実現することができる。
【００４０】
図７（ａ）は本実施形態のさらに別の光学シート５の断面図であり、この光学シート５では、鋸刃状に形成された複数の凸部５１３が、シート本体５１の下面において左右対称となるように設けられている。そして、この光学シート５を用いた場合には、図７（ｃ）中の実線ａ４に示すように、図４（ａ）に示した光学シート５に比べて左右方向への配光をより広角にすることができる。
【００４１】
また、図７（ｂ）は本実施形態のさらに別の光学シート５の断面図であり、この光学シート５では、鋸刃状に形成された複数の凸部５１３が、シート本体５１の上面において左右対称となるように設けられている。そして、この光学シート５を用いた場合には、図７（ｃ）中の実線ａ５に示すように、図５（ａ）に示した光学シート５に比べて左右方向への配光をより狭角にすることができる。
【００４２】
図８（ａ）は本実施形態のさらに別の光学シート５の断面図であり、この光学シート５では、三角状に突出する凸部５１４が、シート本体５１の下面において前後方向（長手方向）に沿って設けられている。そして、この光学シート５を用いた場合には、図８（ｂ）中の実線ａ６に示すように、前後方向（長手方向）において広角な配光を実現することができる。
【００４３】
また、図示は省略しているが、三角状に突出する凸部５１４を、シート本体５１の上面において前後方向（長手方向）に沿って設けた場合には、図８（ｂ）中の実線ａ７に示すように、前後方向（長手方向）において狭角な配光を実現することができる。
【００４４】
本実施形態によれば、従来の照明器具のように光源部単位で交換する必要はなく、カバー部材２３に光学シート５を取り付けるだけでいいので、コストアップを抑えつつ、ＬＥＤ２２２の光学的な特性を容易に変更可能な照明器具１０を提供することができる。また、本実施形態のように、カバー部材２３の透光部２３１の外面（照明空間側の面）側に光学シート５を取り付ける構成とした場合には、ユーザーによって容易に光学シート５を交換することができる。
【００４５】
さらに、従来の照明器具のように、カバー部材や発光素子を変更することで配光を変更する場合には、配光の種類と同じ数の光源部を用意する必要があり、光源部を構成する部品の管理が複雑であった。これに対して、本実施形態によれば、ＬＥＤ２２２の光学的な特性の種類と同じ数の光学シート５を用意するだけでよく、従来の照明器具に比べて管理が容易になるという利点がある。
【００４６】
なお、本実施形態では、ＬＥＤ２２２の光学的な特性として配光を例に説明したが、ＬＥＤ２２２の光学的な特性は配光に限定されるものではない。例えば、光学シート５の色を変更することで光の色を変更してもいいし、シート本体５１に添加物を加えることで光の波長を変更してもよい。そして、光の波長を変更した場合には、紫外線をカットしたり、メラトニン抑制により睡眠を促進したり、発光色を美光色にすることができる。
【００４７】
また、本実施形態では、光学シート５を左右方向に撓めることでカバー部材２３に取り付けたが、カバー部材２３に対して前後方向（長手方向）から光学シート５をスライドさせることでカバー部材２３に取り付けてもよい。
【００４８】
本実施形態の照明器具１０は、器具本体１と、器具本体１に対して照明空間側に配置されるＬＥＤ２２２（光源）と、透光性を有し且つＬＥＤ２２２を覆うように器具本体１に取り付けられるカバー部材２３（カバー）とを備える。カバー部材２３は、ＬＥＤ２２２から放射される光を照明空間に向けて透過させる透光部２３１と、ＬＥＤ２２２の光学的な特性を制御するための光学シート５（光学部材）を透光部２３１に沿って取り付ける溝部２３４（取付部）とを有している。
【００４９】
また、本実施形態の照明器具１０のように、溝部２３４は、透光部２３１における照明空間側の面に光学シート５が取り付けられるように構成されているのが好ましい。
【００５０】
（実施形態２）
照明器具１０の実施形態２について図９〜図１１を参照しながら説明する。なお、以下では特に断りがない限り、図９に示す向きにおいて上下左右の方向を規定し、さらに図９中の紙面に垂直な方向を前後方向（手前側が前側）と規定して説明を行う。また、光学シート５以外の構成については実施形態１と同様であり、同一の構成要素には同一の符号を付して説明を省略する。さらに、光学シート５のカバー部材２３への取付方法についても実施形態１と同様であり、ここでは説明を省略する。
【００５１】
本実施形態の照明器具１０は、器具本体１と、器具本体１に対して着脱自在に取り付けられる光源ユニット２とを備える（図２参照）。また、光源ユニット２は、図９に示すように、基板２２と、取付部材２１と、カバー部材２３と、電源装置２４とを備える。
【００５２】
光学シート５は、例えば合成樹脂により長尺且つ矩形板状に形成されたシート本体５１を有し、シート本体５１の左右方向における中央部分は、ＬＥＤ２２２からの光を透過させない不透過部５６ａとなっている。また、シート本体５１の左右方向における左側部分及び右側部分は、それぞれＬＥＤ２２２からの光を透過させる透過部５５ａ，５７ａとなっている。
【００５３】
この光学シート５によれば、照明空間（光源ユニット２よりも下側の空間）において不透過部５６ａに対応する領域Ｒ１にはＬＥＤ２２２からの光は透過されず、左右両側の透過部５５ａ，５７ａからの光しか透過されない。これにより、照明器具１０直下の照明空間へのグレアをカットすることができる。
【００５４】
図１０は、本実施形態の照明器具１０に用いられる別の光源ユニット２の断面図である。この光源ユニット２は、基板２２と、取付部材２１と、カバー部材２３と、電源装置２４とを備える。
【００５５】
光学シート５は、例えば合成樹脂により長尺且つ矩形板状に形成されたシート本体５１を有し、シート本体５１の左右方向における中央部分は、ＬＥＤ２２２からの光を透過させる透過部５６ｂとなっている。また、シート本体５１の左右方向における左側部分及び右側部分は、それぞれＬＥＤ２２２からの光を透過させない不透過部５５ｂ，５７ｂとなっている。
【００５６】
この光学シート５によれば、照明空間（光源ユニット２よりも下側の空間）において不透過部５５ｂ，５７ｂに対応する領域Ｒ２，Ｒ３にはＬＥＤ２２２からの光は透過されず、中央部分の透過部５６ｂからの光しか透過されない。これにより、遮光角の浅い照明空間へのグレアをカットすることができる。
【００５７】
図１１は、本実施形態の照明器具１０に用いられるさらに別の光源ユニット２の断面図である。この光源ユニット２は、基板２２と、取付部材２１と、カバー部材２３と、電源装置２４とを備える。
【００５８】
光学シート５は、例えば合成樹脂により長尺且つ矩形板状に形成されたシート本体５１を有し、シート本体５１の左右方向における左側部分は、ＬＥＤ２２２からの光を透過させる透過部５５ｃとなっている。また、シート本体５１の左右方向における中央部分及び右側部分は、それぞれＬＥＤ２２２からの光を透過させない不透過部５６ｃ，５７ｃとなっている。
【００５９】
この光学シート５によれば、照明空間（光源ユニット２の下側の空間）において不透過部５６ｃ，５７ｃに対応する領域Ｒ４にはＬＥＤ２２２からの光は透過されず、左側部分の透過部５５ｃからの光しか透過されない。これにより、例えば人がいる方向へのグレアをカットしたり、不要な方向への光をカットすることができる。
【００６０】
なお、本実施形態では、グレアをカットする部分を不透過部としたが、透過部に比べて透過率を下げた半透過部としてもよく、本実施形態に限定されない。
【００６１】
（実施形態３）
照明器具１０の実施形態３について図１２及び図１３を参照しながら説明する。上述の実施形態１，２では、カバー部材２３の透光部２３１における照明空間側（下側）の面に光学シート５を取り付けたが、本実施形態では、透光部２３１におけるＬＥＤ２２２側（上側）の面に光学シート５を取り付けている。
【００６２】
なお、以下では特に断りがない限り、図１２に示す向きにおいて上下左右の方向を規定し、さらに図１２中の紙面に垂直な方向を前後方向（手前側が前側）と規定して説明を行う。また、カバー部材２３以外の構成は実施形態１と同様であり、同一の構成要素には同一の符号を付して説明を省略する。
【００６３】
本実施形態の照明器具１０は、器具本体１と、器具本体１に着脱自在に取り付けられる光源ユニット２とを備える（図２参照）。また、光源ユニット２は、図１２に示すように、基板２２と、取付部材２１と、カバー部材２３と、電源装置２４とを有する。
【００６４】
カバー部材２３は、拡散性を有する材料（例えば乳白色のアクリル樹脂）により上面（取付部材２１側の面）が開口する長尺状に形成されている。また、カバー部材２３は、左右方向（幅方向）において両端側から中央側に行くほど下側への突出量が大きくなるような凸レンズ形状の透光部２３１を有している（図１２参照）。
【００６５】
さらに、透光部２３１の左右方向における両端側で且つ透光部２３１よりも上側（ＬＥＤ２２２側）には、透光部２３１と平行に延長された延出部２３２ｂ，２３２ｂがそれぞれ設けられている。また、各延出部２３２ｂと透光部２３１との間には、溝部２３５が形成されている。
【００６６】
カバー部材２３の前後方向（長手方向）における両端部には、図１３に示すように、端部カバー４，４がそれぞれ取り付けられる（図１３では片側の端部カバー４のみ図示）。各端部カバー４には、開口寸法が光学シート５の厚み寸法及び幅寸法よりもわずかに大きく設定された円弧状の開口部４１が設けられている。
【００６７】
そして、作業者が、端部カバー４の開口部４１を通して光学シート５をカバー部材２３の内部に挿入すると、光学シート５の左右方向における両端部がそれぞれ溝部２３５，２３５に差し込まれ、光学シート５がカバー部材２３に取り付けられる（図１２参照）。
【００６８】
本実施形態のように、カバー部材２３の透光部２３１における上側（ＬＥＤ２２２側）の面に光学シート５を取り付けた場合には、光学シート５が汚れるのを抑えることができるとともに、光学シート５が落下するのを抑えることができる。また、清掃時に光学シート５が外れたり、ずれたりするのを抑えることができるとともに、下側から見たときの意匠性を向上させることができる。
【００６９】
本実施形態の照明器具１０のように、溝部２３５（取付部）は、透光部２３１におけるＬＥＤ２２２（光源）側の面に光学シート５（光学部材）が取り付けられるように構成されているのが好ましい。
【００７０】
（実施形態４）
照明器具１０の実施形態４について図１４を参照しながら説明する。上述の実施形態１では、カバー部材２３に取り付ける光学シート５を１枚としたが、本実施形態では、２枚の光学シート５ａ，５ｂをカバー部材２３に取り付けている。
【００７１】
なお、以下では特に断りがない限り、図１４に示す向きにおいて上下左右の方向を規定し、さらに図１４中の紙面に垂直な方向を前後方向（手前側が前側）と規定して説明を行う。また、光学シート５ａ，５ｂ以外の構成については実施形態１と同様であり、同一の構成要素には同一の符号を付して説明を省略する。さらに、光学シート５のカバー部材２３への取付方法についても実施形態１と同様であり、ここでは説明を省略する。
【００７２】
本実施形態の照明器具１０は、器具本体１と、器具本体１に着脱自在に取り付けられる光源ユニット２とを備える（図２参照）。また、光源ユニット２は、図１４に示すように、基板２２と、取付部材２１と、カバー部材２３と、電源装置２４とを有する。
【００７３】
本実施形態では、赤色の光学シート５ａと青色の光学シート５ｂとを、ＬＥＤ２２２の光軸Ｐ１方向（上下方向）に重ねてカバー部材２３に取り付けている。これにより、ＬＥＤ２２２から照明空間に向けて照射される光を、緑色の光に変換することができる。
【００７４】
なお、本実施形態では、赤色の光学シート５ａと青色の光学シート５ｂの２枚を用いたが、光学シートの枚数は３枚以上であってもよい。また、赤色及び青色以外の色の光学シートを組み合わせてもよい。さらに、カラー変換用の光学シートとグレアカット用の光学シートを組み合わせたり、波長制御用の光学シートを複数枚組み合わせてもよく、本実施形態に限定されない。
【００７５】
本実施形態の照明器具１０のように、溝部２３４（取付部）は、互いに特性の異なる複数の光学シート５ａ，５ｂ（光学部材）がＬＥＤ２２２（光源）の光軸Ｐ１方向に重ねて取り付けられるように構成されているのが好ましい。
【００７６】
（実施形態５）
照明器具１０の実施形態５について図１５及び図１６を参照しながら説明する。上述の実施形態４では、２枚の光学シート５ａ，５ｂを、ＬＥＤ２２２の光軸Ｐ１方向に重ねたが、本実施形態では、２枚の光学シート５ｃ，５ｄを左右方向に並べてカバー部材２３に取り付けている。
【００７７】
なお、以下では特に断りがない限り、図１５に示す向きにおいて上下左右の方向を規定し、さらに図１５中の紙面に垂直な方向を前後方向（手前側が前側）と規定して説明を行う。また、光学シート５ｃ，５ｄ及びカバー部材２３以外の構成については実施形態１と同様であり、同一の構成要素には同一の符号を付して説明を省略する。
【００７８】
本実施形態の照明器具１０は、器具本体１と、器具本体１に着脱自在に取り付けられる光源ユニット２とを備える（図２参照）。また、光源ユニット２は、図１５に示すように、基板２２と、取付部材２１と、カバー部材２３と、電源装置２４とを有する。
【００７９】
カバー部材２３は、拡散性を有する材料（例えば乳白色のアクリル樹脂）により上面（取付部材２１側の面）が開口する長尺状に形成されている。また、カバー部材２３は、左右方向（幅方向）において両端側から中央側に行くほど下側への突出量が大きくなるような凸レンズ形状の透光部２３１を有している（図１５参照）。
【００８０】
さらに、透光部２３１の左右方向における両端側で且つ透光部２３１よりも上側（ＬＥＤ２２２側）には、透光部２３１と平行に延長された延出部２３２ｂ，２３２ｂがそれぞれ設けられている。また、各延出部２３２ｂと透光部２３１との間には、溝部２３５が形成されている。
【００８１】
さらに、透光部２３１の左右方向における中央側で且つ透光部２３１よりも上側（ＬＥＤ２２２側）には、透光部２３１と平行に延長された第２延出部２３２ｃ，２３２ｃがそれぞれ設けられている。また、各第２延出部２３２ｃと透光部２３１との間には、溝部２３６が形成されている。
【００８２】
そして、本実施形態では、ＬＥＤ２２２の光軸Ｐ１に対して左側に位置する溝部２３５，２３６にはグレアカット用の光学シート５ｄが差し込まれ、透光部２３１の上側（ＬＥＤ２２２側）の面に沿って光学シート５ｄが配置される。また、ＬＥＤ２２２の光軸Ｐ１に対して右側に位置する溝部２３５，２３６にはカラー用の光学シート５ｃが差し込まれ、透光部２３１の上側（ＬＥＤ２２２側）の面に沿って光学シート５ｃが配置される。
【００８３】
そして、本実施形態によれば、ＬＥＤ２２２の光軸Ｐ１に対して右側の領域と左側の領域とで、ＬＥＤ２２２の光学的な特性を変えることができる。
【００８４】
また、本実施形態では、光学シート５ｃ，５ｄを透光部２３１におけるＬＥＤ２２２側の面に取り付けたが、図１６に示すように、光学シート５ｃ，５ｄを透光部２３１における照明空間側の面に取り付けてもよい。この場合も同様に、ＬＥＤ２２２の光軸Ｐ１に対して右側の領域と左側の領域とで、ＬＥＤ２２２の光学的な特性を変えることができる。
【００８５】
なお、光学シートの組み合わせは本実施形態に限定されるものではなく、実施形態４と同様に、いろいろな組み合わせを適用することができる。また、光学シートの枚数も２枚に限定されるものではなく、３枚以上であってもよい。
【００８６】
本実施形態の照明器具１０のように、溝部２３５，２３６又は溝部２３４，２３７（取付部）は、互いに特性の異なる複数の光学シート５ｃ，５ｄ（光学部材）が透光部２３１に沿って並べて取り付けられるように構成されているのが好ましい。
【符号の説明】
【００８７】
５  光学シート（光学部材）
２３  カバー部材（カバー）
２２２  ＬＥＤ（光源）
２３１  透光部
２３４  溝部（取付部）
【図１】
2015125805.tif 000003
【図２】
2015125805.tif 000004
【図３】
2015125805.tif 000005
【図４】
2015125805.tif 000006
【図５】
2015125805.tif 000007
【図６】
2015125805.tif 000008
【図７】
2015125805.tif 000009
【図８】
2015125805.tif 000010
【図９】
2015125805.tif 000011
【図１０】
2015125805.tif 000012
【図１１】
2015125805.tif 000013
【図１２】
2015125805.tif 000014
【図１３】
2015125805.tif 000015
【図１４】
2015125805.tif 000016
【図１５】
2015125805.tif 000017
【図１６】
2015125805.tif 000018